(57)【要約】      （修正有）【課題】製造管理・在庫管理・受注管理・出荷管理・納品管理・現場管理等の点における煩雑化及びコストアップを抑制することができる配管支持具用吊下具を提供する。【解決手段】配管を抱持する配管支持具を、天井スラブ等の取付面から吊下支持する際に用いる配管支持具用吊下具において、吊下具本体が、断面コ字状の長尺体から成り、該長尺体の底板部には、長尺方向の少なくとも二箇所に吊りボルトの如き吊下支持杆の一端を挿通固定可能な底板部透孔が形成され、該長尺体の二つの側板部の相対向する位置に側板部透孔が形成された構成であることを特徴とする。【選択図】図１
0003152067.tif 000002
【実用新案登録請求の範囲】
【請求項１】
配管を抱持する配管支持具を、天井スラブ等の取付面から吊下支持する際に用いる配管支持具用吊下具において、
吊下具本体が、断面コ字状の長尺体から成り、
該長尺体の底板部には、長尺方向の少なくとも二箇所に吊りボルトの如き吊下支持杆の一端を挿通固定可能な底板部透孔が形成され、
該長尺体の二つの側板部の相対向する位置に側板部透孔が形成された構成であることを特徴とする配管支持具用吊下具。
【請求項２】
前記側板部が、該側板部の一部が突出するように延伸しており、該突出延伸部に前記側板部透孔が形成された構成であることを特徴とする請求項１に記載の配管支持具用吊下具。
【請求項３】
前記側板部透孔が、長尺体の長尺方向の略中央部に形成された構成であることを特徴とする請求項１又は２に記載の配管支持具用吊下具。
【請求項４】
前記底板部透孔の少なくとも一つが、長尺体の長尺方向に長径を有する長孔であることを特徴とする請求項１〜３のいずれかに記載の配管支持具用吊下具。
【請求項５】
天井スラブ等の取付面に取り付けられたインサートの如き被取付部材に螺合取付けする羽子板ボルトの如き吊下手段に、前記配管支持具用吊下具を構成する長尺体の側板部を、該側板部に形成された側板部透孔に螺合固定するボルト・ナットの如き固定手段により固定することで、前記吊下具本体を取付面から吊下固定し、
前記長尺体の底板部透孔に吊りボルトの如き吊下支持杆の一端を挿通固定し、
該吊下支持杆の他端に、配管を抱持する配管支持具を取付固定することで、
配管を斜め吊下支持可能な構成であることを特徴とする請求項１〜４のいずれかに記載の配管支持具用吊下具。
【請求項６】
前記配管支持具用吊下具を構成する長尺体の底板部の少なくとも二箇所に形成された底板部透孔に挿通固定する少なくとも２本の吊下支持杆の他端を、天井スラブ等の取付面に吊下状態で固定することで吊下具本体を複数点吊下げし、
前記長尺体の側板部に形成された側板部透孔に羽子板ボルトの如き吊下手段をボルト・ナットの如き固定手段により固定し、
前記羽子板ボルトの如き吊下手段に、配管を抱持する配管支持具をタンバックルの如き接続手段により接続することで、
配管を斜め吊下支持可能な構成であることを特徴とする請求項１〜４のいずれかに記載の配管支持具用吊下具。
【考案の詳細な説明】
【技術分野】
【０００１】
本考案は配管支持具用吊下具に関し、詳しくは天井スラブ等の取付面に、水道管、ガス管、冷・暖房管等の各種配管を斜め方向から吊り固定する配管支持具用吊下具に関する。
【背景技術】
【０００２】
天井スラブ等の取付面に吊りボルト等の支持部材による吊下支持に加えて、前記取付面から斜めに垂設した吊下支持杆を付加すること等によって２点支持乃至は３点支持することで防振（防震）構造としたことが一般的に行われている。
【０００３】
本出願人は、かかる技術について研究を続けており、特許文献１〜５等に示すような技術を先に提案している。
【先行技術文献】
【特許文献】
【０００４】
【特許文献１】登録実用新案第３１４８９４３号
【特許文献２】登録実用新案第３１４８８４８号
【特許文献３】登録実用新案第３１４８７０８号
【特許文献４】登録実用新案第３１４８３６１号
【特許文献５】登録実用新案第３１４８３１５号
【考案の概要】
【考案が解決しようとする課題】
【０００５】
配管支持具類は、当業各社の製品カタログ群から明らかなように、極めて膨大な種類を有するだけでなく、各種類毎に素材違い・サイズ違い・仕様違い等のように細目が更に別れており、製造管理・在庫管理・受注管理・出荷管理・納品管理・現場管理等の点において極めて煩雑なものとなってしまっている。
【０００６】
特許文献１〜５に示す技術は、既存構成を有する配管支持具類に新たな構成を付加した構造を有するもの（特許文献１及び４）や、新たな構成を有する専用構造のもの（特許文献２、３及び５）であり、かかる新たな製品の創出は上述した膨大な種類の配管支持具類の煩雑化に更に拍車をかけるものである。特に、使用形態の僅かな違いにも拘らず、全く新規なる構造の製品を創出することは、前述した煩雑化に拍車をかけるだけでなく、コストアップに繋がるものである。
【０００７】
そこで本考案の課題は、製造管理・在庫管理・受注管理・出荷管理・納品管理・現場管理等の点における煩雑化及びコストアップを抑制することができる配管支持具用吊下具を提供することにある。
【課題を解決するための手段】
【０００８】
上記課題を解決する本考案は下記構成を有する。
【０００９】
１．配管を抱持する配管支持具を、天井スラブ等の取付面から吊下支持する際に用いる配管支持具用吊下具において、
吊下具本体が、断面コ字状の長尺体から成り、
該長尺体の底板部には、長尺方向の少なくとも二箇所に吊りボルトの如き吊下支持杆の一端を挿通固定可能な底板部透孔が形成され、
該長尺体の二つの側板部の相対向する位置に側板部透孔が形成された構成であることを特徴とする配管支持具用吊下具。
【００１０】
２．前記側板部が、該側板部の一部が突出するように延伸しており、該突出延伸部に前記側板部透孔が形成された構成であることを特徴とする上記１に記載の配管支持具用吊下具。
【００１１】
３．前記側板部透孔が、長尺体の長尺方向の略中央部に形成された構成であることを特徴とする上記１又は２に記載の配管支持具用吊下具。
【００１２】
４．前記底板部透孔の少なくとも一つが、長尺体の長尺方向に長径を有する長孔であることを特徴とする上記１〜３のいずれかに記載の配管支持具用吊下具。
【００１３】
５．天井スラブ等の取付面に取り付けられたインサートの如き被取付部材に螺合取付けする羽子板ボルトの如き吊下手段に、前記配管支持具用吊下具を構成する長尺体の側板部を、該側板部に形成された側板部透孔に螺合固定するボルト・ナットの如き固定手段により固定することで、前記吊下具本体を取付面から吊下固定し、
前記長尺体の底板部透孔に吊りボルトの如き吊下支持杆の一端を挿通固定し、
該吊下支持杆の他端に、配管を抱持する配管支持具を取付固定することで、
配管を斜め吊下支持可能な構成であることを特徴とする上記１〜４のいずれかに記載の配管支持具用吊下具。
【００１４】
６．前記配管支持具用吊下具を構成する長尺体の底板部の少なくとも二箇所に形成された底板部透孔に挿通固定する少なくとも２本の吊下支持杆の他端を、天井スラブ等の取付面に吊下状態で固定することで吊下具本体を複数点吊下げし、
前記長尺体の側板部に形成された側板部透孔に羽子板ボルトの如き吊下手段をボルト・ナットの如き固定手段により固定し、
前記羽子板ボルトの如き吊下手段に、配管を抱持する配管支持具をタンバックルの如き接続手段により接続することで、
配管を斜め吊下支持可能な構成であることを特徴とする上記１〜４のいずれかに記載の配管支持具用吊下具。
【考案の効果】
【００１５】
請求項１に示す考案によれば、製造管理・在庫管理・受注管理・出荷管理・納品管理・現場管理等の点における煩雑化及びコストアップを抑制することができる配管支持具用吊下具を提供することができる。
【００１６】
特に、全く新規な構成の製品を作成することなく、ファイリング材やチャンネル材の如き配管支持部材を形成する材料である断面コ字状の長尺体を原材料として用いることで得ることができ、しかも既存の構成に新たな構成を付加するのではなく極めて僅かな加工で低コストで得ることができる。
【００１７】
請求項２に示す考案によれば、吊下手段を側板部透孔に固定する際に、該側板部透孔が形成された部分が突出しているので、固定手段としてボルト・ナット等を用いた場合に螺合作業が行い易くなる。
【００１８】
請求項３に示す考案によれば、吊下具本体を吊り下げた際の吊下バランスが取り易くなる。
【００１９】
請求項４に示す考案によれば、底板部透孔に挿通固定する吊下支持管の斜め角度を長孔の長径方向に微調整することができる。
【００２０】
請求項５に示す考案によれば、天井スラブ等の取付面から吊下られる吊下具に、１本ないし２本以上の配管を斜め吊下支持することができる。
【００２１】
請求項６に示す考案によれば、天井スラブ等の取付面への吊下箇所を２点以上の多点吊下支持とすることができ、配管を安定した状態で吊下支持することができる。
【図面の簡単な説明】
【００２２】
【図１】本考案に係る配管支持具用吊下具の一実施例を示す４面図（正面図、平面図、底面図、左側面図）
【図２】図１に示す配管支持具用吊下具の使用例の一例をを示す概略正面図
【図３】図１に示す配管支持具用吊下具の使用例の他の例を示す概略正面図
【図４】図１に示す配管支持具用吊下具の使用例の他の例を示す概略正面図
【図５】図１に示す配管支持具用吊下具の使用例の他の例を示す概略正面図
【考案を実施するための形態】
【００２３】
次に、添付の図面に従って本考案を詳細に説明する。
【００２４】
本考案に係る配管支持具用吊下具（以下、単に吊下具と言うこともある。）１は、  図２に示すように配管Ｐを抱持する配管支持具２を、天井スラブ等の取付面３から吊下支持する際に用いるものである。
【００２５】
吊下具１の具体的な構成としては、図１に示すように、吊下具本体１が、断面コ字状の長尺体１１から成り、該長尺体１１の底板部１１Ａには、長尺方向の少なくとも二箇所（本実施例では二箇所）に吊りボルトの如き吊下支持杆６の一端を挿通固定可能な底板部透孔１４が形成され、該長尺体１１の二つの側板部１１Ｂの相対向する位置に側板部透孔１２が形成された構成である。
【００２６】
長尺体１１の側板部１１Ｂは、該側板部１１Ｂの一部が突出するように延伸しており、該突出延伸部１３に前記側板部透孔１２が形成された構成であることが好ましい。
【００２７】
また、前記側板部透孔１２は、長尺体１１の長尺方向の略中央部に形成された構成であることが好ましい。
【００２８】
長尺体１１の底板部１１Ａに形成された底板部透孔１３は、二箇所以上に形成される場合、その形成箇所は長尺体１１の長尺方向に沿って形成されることが好ましい。吊下支持杆６の斜め吊下角度の一例としては、本実施例のように２本の吊下支持杆６・６による場合、概ね４５度の角度であることが防振（防震）性の点から好ましい。
【００２９】
吊下具１の本体を構成する断面コ字状の長尺体１１としては、図１に示すような、  ファイリング材やチャンネル材の如き配管支持部材を形成する材料である断面コ字状の長尺体を原材料として用いることで得ることができる。
【００３０】
次に、上記構成を有する吊下具１の使用例について説明する。
【００３１】
図２に示すように、天井スラブ等の取付面３に取り付けられたインサートの如き被取付部材（本実施例ではインサート）５に螺合取付けする羽子板ボルトの如き吊下手段４に、前記側板部１１Ｂの突出延伸部１３に形成された側板部透孔１２に螺合固定するボルト・ナットの如き固定手段により固定することで、前記吊下具１１本体を取付面３から吊下固定し、前記底板部透孔１４に吊りボルトの如き吊下支持杆６の一端を挿通固定し、該吊下支持杆６の他端に、配管Ｐを抱持する配管支持具２を取付固定することで、配管Ｐを斜め吊下支持することができる。尚、吊下手段４の側板部透孔１３への固定はボルト・ナット４１により、吊下支持杆６の底板部透孔１４への挿通固定はナット６１による固定構成としている。また、配管支持具２と吊下支持杆６とは、ボルト・ナット２１、Ｌ字金具２２、ナット２３によって接続されている。
【００３２】
以上、本考案に係る配管支持具用吊下具の実施例について説明したが、本考案は上記実施例に限定されず、本考案の範囲内において種々の他の態様を採ることもできる。
【００３３】
例えば、底板部透孔１４の形成箇所は上記実施例の二箇所に限定されず、三箇所以上であってもよい。底板部透孔１４を三箇所に形成し、３本の吊下支持杆６・６・６を挿通固定した状態を図３に示す。図３に示す態様は、吊下支持杆６を斜め吊下ではなく、直下に垂設する吊下構成を示しているが、斜め吊下構成であってもよい。
【００３４】
また、図３に示す態様では、長尺体１１の長さを図１及び図２に示す実施例の長尺体１１をより長尺に延ばしたものを用いており、施工現場の状況・吊下配管本数・吊下間隔等の諸条件に応じて長尺体１１の長さを適宜設定することが好ましい。
【００３５】
また、底板部透孔１４の形状は長円である長孔に限らず、真円であってもよいが、挿通固定する吊下支持杆６の斜め吊下角度を長径方向に微調整できる点で長孔であることが好ましい。
【００３６】
更に、図４に示すように、配管Ｐの吊下方向が図２に示した実施例とは異なる向きであっても対応することができる。即ち、図４の態様の場合、同一の配管Ｐの複数箇所（図４の態様では二箇所）を吊下支持することができる。
【００３７】
更にまた、配管Ｐを抱持した配管支持具２を斜め吊下支持するのではなく、図５に示すように、天井スラブ等の取付面３に対して斜め吊下支持する際に用いる構成とすることもできる。
【００３８】
図５では、吊下具を構成する長尺体１１の底板部１１Ａの少なくとも二箇所（本実施例では二箇所）に形成された底板部透孔１４に挿通固定する少なくとも２本（本実施例では２本）の吊下支持杆６の他端を、天井スラブ等の取付面３に吊下状態で固定することで吊下具１本体を複数点吊下げ（本実施例では２点吊下げ）し、前記長尺体１１の側板部１１Ｂに形成された側板部透孔１２に羽子板ボルトの如き吊下手段４をボルト・ナット４１により固定し、前記吊下手段４に、配管Ｐを抱持する配管支持具２をタンバックル７及びボルト・ナット８により接続することで、配管Ｐを斜め吊下支持する構成となっている。
【符号の説明】
【００３９】
１  配管支持具用吊下具
１１  長尺体
１１Ａ  底板部
１１Ｂ  側板部
１２  側板部透孔
１３  延伸突起部
１４  底板部透孔
２  配管支持具
２１  ボルト・ナット
２２  Ｌ字金具
２３  ナット
３  取付面
４  吊下手段
４１  ボルト・ナット
５  被取付部材
６  吊下支持杆
６１  ナット
７  タンバックル
８  ボルト・ナット
Ｐ  配管
【図１】
0003152067.tif 000003
【図２】
0003152067.tif 000004
【図３】
0003152067.tif 000005
【図４】
0003152067.tif 000006
【図５】
0003152067.tif 000007